(57)【特許請求の範囲】
【請求項１】
着用者の頭部を覆うためのクラウンと、クラウンの下縁から前方に突出して設けられた平面視三日月状の庇とを備えた帽子であって、
平面視半円状のポケット形成用生地が庇の上面に重ねられて、庇における円弧状の先端縁とポケット形成用生地における円弧状の先端縁とが互いに縫着されて、庇の上面側にポケットが形成され、
先端部に固着部を有するベルトの基端部が庇における一方の側縁近傍に縫着されて、庇における他方の側縁近傍に前記固着部を固着するための被固着部が設けられ、
クラウンが、折畳み可能な素材で形成されて、庇が弾性を有する素材で形成され、
非着用時には、ポケット形成用生地を庇の下面側へひっくり返して庇の下面側にポケットを形成し、該ポケットの内部にクラウンを折畳んで収納し、前記固着部と前記被固着部とを互いに固着することにより、庇の一方の側縁と他方の側縁とが重なるように庇を折り曲げることにより、コンパクトにできるようにしたことを特徴とする帽子。
【発明の詳細な説明】
【技術分野】
【０００１】
本発明は、クラウンと庇とを備えたキャップ型の帽子に関する。
【背景技術】
【０００２】
クラウンと庇を備えたキャップ型の帽子は、外で作業を行う際やスポーツを行う際だけでなく、普段着としても着用されており、様々な場面で着用されるようになっている。しかし、キャップ型の帽子は、下手に折畳むとクラウンや庇に見苦しい折目や皺が形成されるため、脱いだときには、そのままの形態で持ち歩かなければならず、邪魔になりやすかった。このような実状に鑑みてか、これまでには、非着用時にコンパクトに収容できるようにした帽子が提案されている。
【０００３】
例えば、クラウン外面の前側にファスナー付のポケットを設けた帽子が提案されている（例えば特許文献１）。また、クラウン内面の前側や後側にポケットを設けた帽子も提案されている（例えば特許文献２）。これらの帽子はいずれも、非着用時には、クラウンの余った部分や庇を前記ポケットの内部に収納し、帽子をコンパクトにすることができるものとなっている。
【０００４】
しかし、特許文献１の帽子のように、クラウン外面にポケットが設けられた帽子は、ポケットが目立ちすぎて、見た目が悪くなるおそれがある。加えて、帽子の着用時と非着用時（収納時）とで、庇の形状が殆ど変わらないため、必ずしもコンパクトに収納できるものとはなっていない。これに対し、引用文献２の帽子のように、クラウン内面にポケットが設けられた帽子は、ポケットが目立つことはないものの、クラウンだけでなく庇までも折畳むことができるような柔らかい素材で形成しなければならない。したがって、庇がある程度の硬さを有する帽子には採用することができない。
【０００５】
また、これまでには、帽子をコンパクトに収納することを目的としたものではないものの、庇にポケットを設けた帽子も提案されている。例えば、特許文献３では、眼鏡を入れるためのポケットを庇の上側に設けた帽子が提案されており、特許文献４では、入漁権などを入れるためのポケットを庇の上側に設けた帽子が提案されている。しかし、これらの帽子におけるポケットはいずれも、眼鏡のレンズ部や、紙片など、厚さのない薄いものしか入れることができなかった。
【０００６】
というのも、キャップ型の帽子の庇は、通常、正面から見た場合にその中央部が上側に凸となるように湾曲した形態をしていることに加えて、ポケットを形成する生地（ポケット形成用生地）が突っ張った状態となっている。このため、庇の上側に設けたポケットに厚さのあるものを入れると、それによって庇の中央部が下側に押され、庇の湾曲形状が反転して下側に凸となるなど、庇の形態が崩れるおそれがあった。
【０００７】
キャップ型の帽子において、庇の上側に設けたポケットに厚さのあるものを入れても庇の湾曲形状が崩れないようにするためには、ポケット形成用生地の横幅を庇の横幅よりも大きくし、ポケット形成用生地が庇の上面側で余るようにする必要があるが、この場合には、帽子の外観が悪くなるという欠点がある。加えて、ポケット形成用生地を余らせることによって、厚みのあるものはポケットに入れることができるものの、紙片などの薄いものをポケットに入れると、ポケットから落ちるおそれがある。また仮に、折畳んだクラウンをそのポケットに収納しても、帽子の着用時と非着用時（収納時）とで、庇の形状が殆ど変わらないため、コンパクトに収納できるとは言いにくい。
【先行技術文献】
【特許文献】
【０００８】
【特許文献１】特開平０８−０２７６１２号公報
【特許文献２】特表２００１−５１８５７８号公報
【特許文献３】実登第３０５９８４２号公報
【特許文献４】特開２０００−１７００２４号公報
【発明の概要】
【発明が解決しようとする課題】
【０００９】
本発明は、上記課題を解決するためになされたものであり、着用時の外観に優れながらも、非着用時には、コンパクトに収納して持ち運ぶことのできるキャップ型の帽子を提供するものである。また、非着用時（収納時）に、庇の湾曲形状が崩れることのない、形態安定性に優れた帽子を提供することも本発明の目的である。さらに、着用時には、紙片などの薄いものを好適に入れることのできる帽子を提供することも本発明の目的である。
【課題を解決するための手段】
【００１０】
上記課題は、着用者の頭部を覆うためのクラウンと、クラウンの下縁から前方に突出して設けられた平面視三日月状の庇とを備えた帽子であって、平面視半円状のポケット形成用生地が庇の上面に重ねられて、庇における円弧状の先端縁とポケット形成用生地における円弧状の先端縁とが互いに縫着されて、庇の上面側にポケットが形成され、先端部に固着部を有するベルトの基端部が庇における一方の側縁近傍に縫着されて、庇における他方の側縁近傍に前記固着部を固着するための被固着部が設けられ、クラウンが、折畳み可能な素材で形成されて、庇が弾性を有する素材で形成され、非着用時には、ポケット形成用生地を庇の下面側へひっくり返して庇の下面側にポケットを形成し、該ポケットの内部にクラウンを折畳んで収納し、前記固着部と前記被固着部とを互いに固着することにより、庇の一方の側縁と他方の側縁とが重なるように庇を折り曲げることにより、コンパクトにできるようにしたことを特徴とする帽子を提供することによって解決される。
【００１１】
この帽子は、庇と一体感のあるデザインのポケットを備えたものとなっており、着用時と非着用時とでポケットの位置を切替え、非着用時にはそのポケットにクラウンを折畳んで収納することができるものとなっている。
【発明の効果】
【００１２】
以上のように、本発明によって、着用時の外観に優れながらも、非着用時には、コンパクトに収納して持ち運ぶことのできるキャップ型の帽子を提供することが可能になる。また、非着用時（収納時）に、庇の湾曲形状が崩れることのない、形態安定性に優れた帽子を提供することも可能になる。さらに、着用時には、紙片などの薄いものを好適に入れることのできる帽子を提供することも可能になる。
【図面の簡単な説明】
【００１３】
【図１】ポケットが庇の上側にあるときの本発明の帽子を上方から見た状態を示した図である。
【図２】ポケットが庇の上側にあるときの本発明の帽子を下方から見た状態を示した図である。
【図３】ポケットが庇の上側にあるときの本発明の帽子を前方から見た状態を示した図である。
【図４】ポケットが庇の上側にあるときの本発明の帽子を側方から見た状態を示した図である。
【図５】ポケットを庇の上側から下側にひっくり返しているときの本発明の帽子を側方から見た状態を示した図である。
【図６】ポケットが庇の下側にあるときの本発明の帽子を上方から見た状態を示した図である。
【図７】ポケットが庇の下側にあるときの本発明の帽子を下方から見た状態を示した図である。
【図８】ポケットが庇の下側にあるときの本発明の帽子を前方から見た状態を示した図である。
【図９】ポケットが庇の下側にあるときの本発明の帽子を側方から見た状態を示した図である。
【図１０】庇の下側に形成されたポケットにクラウンを収納したときの本発明の帽子を示した図である。
【図１１】図１０における庇を丸めてその両端部を互いに重ね合わせたときの本発明の帽子を示した図である。
【発明を実施するための形態】
【００１４】
１．本発明の帽子の概要
本発明の帽子の好適な実施態様について、図面を用いてより具体的に説明する。図１は、ポケットＰが庇２の上側にあるとき（着用時）の本発明の帽子を上方から見た状態を示した図である。図２は、ポケットＰが庇２の上側にあるとき（着用時）の本発明の帽子を下方から見た状態を示した図である。図３は、ポケットＰが庇２の上側にあるとき（着用時）の本発明の帽子を前方から見た状態を示した図である。図４は、ポケットＰが庇２の上側にあるとき（着用時）の本発明の帽子を側方から見た状態を示した図である。
【００１５】
本発明の帽子は、図１〜４に示すように、着用者の頭部を覆うためのクラウン１と、クラウン１の下縁から前方に突出して設けられた平面視三日月状の庇２とを備えたものとなっている。庇２の上面には、平面視半円状のポケット形成用生地３が重ねられている。庇２における円弧状の先端縁とポケット形成用生地３における円弧状の先端縁は、互いに縫着されており（図１における曲線ＡＢＣ）、庇２の上面側にポケットＰが形成された状態となっている。ポケット形成用生地３の基端縁（図１における曲線ＡＤＣ）は、庇２に対して縫着されていないため、ポケットＰは、その基端側（クラウン１を向く側）が開放された状態となっている。帽子の着用時において、庇２の上面側に形成されたポケットＰには、その基端側から物を入れることができるようになっている。
【００１６】
庇２における一方の側縁（本実施態様の帽子においては、着用者から見て左側となる縁部）近傍には、その先端部に固着部４を有するベルト５の基端部が縫着されており、庇２における他方の側縁（本実施態様の帽子においては、着用者から見て右側となる縁部）近傍には、固着部４に固着するための被固着部６が設けられている。
【００１７】
２．本発明の帽子の使用方法
この帽子は、図５に示すように、非着用時に、ポケットＰに入れた指を矢印αの向きに動かすことにより、ポケット形成用生地３を庇２の下面側へひっくり返すことができるものとなっている。図５は、ポケットＰを庇２の上側から下側にひっくり返しているときの本発明の帽子を側方から見た状態を示した図である。図６は、ポケットＰが庇２の下側にあるときの本発明の帽子を上方から見た状態を示した図である。図７は、ポケットＰが庇２の下側にあるときの本発明の帽子を下方から見た状態を示した図である。図８は、ポケットＰが庇２の下側にあるときの本発明の帽子を前方から見た状態を示した図である。図９は、ポケットＰが庇２の下側にあるときの本発明の帽子を側方から見た状態を示した図である。
【００１８】
庇２の下面側に形成されたポケットＰには、図７の矢印βで示すように、クラウン１を収納することができるようになっている。クラウン１は、ポケットＰに収納する際に、ポケットＰの内部に入るように折畳まれる。図１０は、庇２の下側に形成されたポケットＰにクラウン１を収納したときの本発明の帽子を示した図である。本発明の帽子は、図１０に示すように、非着用時においてコンパクトにすることが可能となっているが、図１０の状態よりもさらにコンパクトにすることも可能である。
【００１９】
すなわち、庇２の下面側に形成されたポケットＰにクラウン１を収納した後、さらに庇２を下面側に折り曲げ、庇２の両端部を図１０の矢印γ，δで示す向きに近づけて互いに重ね合わせる。このとき、庇２が元の形状に戻らないように、庇２の一方の側縁近傍に固定されたベルト５を、矢印εで示すように、庇２の下面側から他方の側縁側に掛け回し、ベルト５の先端部に設けられた固着部４を、庇２の他方の側縁近傍に設けられた被固着部６（図８を参照）に固着する。すると、帽子は、図１１に示すように、図１０に示した状態よりもさらにコンパクトになる。図１１は、図１０における庇２を丸めてその両端部を互いに重ね合わせたときの本発明の帽子を示した図である。以上のように、本発明の帽子は、非着用時にコンパクトに収納して持ち運ぶことのできるものとなっている。
【００２０】
３．本発明の帽子の各部の具体的な構成
３．１  庇
続いて、本発明の帽子の各部の具体的な構成について説明する。本実施態様の帽子において、庇２は、図１〜４に示すように、庇２の概形を形成する平面視三日月状の庇芯材（図示省略）と、庇芯材の上面を覆う庇表地（図示省略）と、庇芯材の下面を覆う庇裏地（図示省略）とで形成されている。庇表地や庇裏地は、綿などの天然繊維で形成してもよいが、通常、ポリエステルなどの化学繊維で形成される。庇表地や庇裏地には、防水加工や撥水加工を施してもよい。一方、庇芯材は、庇２にある程度の剛性を付与できるものであれば特に限定されず、樹脂、布、紙など、各種の素材で形成することができるが、耐洗濯性や耐久性を考慮すると、樹脂であると好ましい。ただし、本発明の帽子は、既に述べた通り、ポケットＰを庇２の上面側から下面側へひっくり返して使用することがあるため、柔軟な樹脂（弾性を有する樹脂）を採用するとより好ましい。
【００２１】
ところで、庇２は、図３に示すように、その中央部が上側に凸となるように湾曲して形成するのが一般的である。これは、帽子の見た目を良くするほか、遮光性の向上や、雨水が庇２の脇から垂れ落ちるようにすることなどを考慮してのものである。したがって、庇芯材も、その中央部が上側に凸となるように形成する必要がある。この場合、庇芯材は、平面視三日月状に裁断された扁平な樹脂板に折り曲げ加工を施すことにより、その中央部が上側に凸となるように形成してもよいが、折り曲げ加工の分だけ、製造工程が多くなることに加えて、折り曲げ加工では、形態安定性に優れた庇芯材を形成するのにも限界がある。このため、庇芯材は、その中央部を上側に凸とする曲がり部を射出成形時に形成した射出成形体とすると好ましい。これにより、庇芯材を、折り曲げたりしても折り目が付きにくく元の形に速やかに復帰しやすくすることが可能になる。
【００２２】
庇芯材を射出成形するのに使用する樹脂は、特に限定されないが、射出成形後の弾力性などを考慮すると、ポリウレタン系熱可塑性エラストマー（ＴＰＵ）、オレフィン系熱可塑性エラストマー（ＴＰＯ）、スチレン系熱可塑性エラストマー（ＴＰＳ）、ポリエステル系熱可塑性エラストマー（ＴＰＥＥ）、ポリアミド系熱可塑性エラストマー（ＴＰＥＡ）、ポリ塩化ビニル系熱可塑性エラストマー（ＴＰＶＣ）などの熱可塑性エラストマーが例示される。なかでも、ポリウレタン系熱可塑性エラストマー（ＴＰＵ）は優れた耐屈曲性を有しているため、本発明の帽子における庇２の庇芯材として好適に用いることができる。
【００２３】
３．２  ポケット形成用生地
ポケット形成用生地３の素材は、特に限定されないが、伸縮性を有するものであると好ましい。これにより、ポケット形成用生地３を庇２の上面に対してフィットさせることができるので、庇２の上面側に形成されたポケットＰ（図１を参照）には、紙片などの薄い物であっても、ポケットＰから出ないように収納することが可能になる。もちろん、ポケット形成用生地３が伸縮性を有しているので、ある程度厚みのある物であってもポケットＰに落ちないように収納することが可能になる。本実施態様の帽子において、ポケット形成用生地３は、合成繊維からなる編織物で形成しており、伸縮性と強度とに優れたものとなっている。
【００２４】
ポケット形成用生地３は、図３に示すように、中央部が上側に凸となるように湾曲して形成された庇２の上面とほぼ同一寸法となっており、庇２の上面側にあるときには、左右に張った状態となるようになっている。一方、ポケット形成用生地３は、図７，８に示すように、庇２の下面側にあるときには、弛んだ状態となるようになっている。このように、ポケット形成用生地３が弛んだ状態にあっては、折畳んだクラウン１など、ある程度の厚さを有する物もポケットＰの内部に収容することが可能となる。
【００２５】
３．３  ベルト
ベルト５の基端部を縫着する場所は、庇２における側縁近傍であれば特に限定されず、ポケット形成用生地３であってもよい。しかし、ポケット形成用生地３には、上述した通り、通常は伸縮性を有する素材が採用されるため、ベルト５をポケット形成用生地３に縫着すると、その縫着部分でポケット形成用生地３が引っ張られ、ポケット形成用生地３が伸びたり破れたりするおそれがある。このため、ベルト５は、できるだけ庇２の本体に縫着すると好ましい。本実施態様の帽子においては、庇２の側縁にベルト５を縫着している。このようにすることにより、ベルト５を庇２に対してしっかりと縫着できるとともに、ポケット形成用生地３が伸びたり破れたりするのを防止することが可能になる。また、その縫着部分で縫い目が目立たないようにすることも可能になる。
【００２６】
３．４  固着部及び被固着部
固着部４と被固着部６は、互いに固着できるものであれば特に限定されず、スナップボタンなどであってもよいが、本実施態様の帽子においては、面ファスナーを採用している。ベルト５の基端部から先端部までの長さ（後述するようにベルト５が伸縮する場合には自然長）は、特に限定されないが、通常、１〜１０ｃｍ、好ましくは、２〜５ｃｍとされる。ベルト５は、非伸縮性の素材で形成してもよいが、ゴムのように伸縮性の素材で形成しておくと、後述するように、固着部４を被固着部６に固着して帽子を収納する際に、帽子をよりコンパクト化することができるようになる。
【００２７】
固着部４（ベルト５）及び被固着部６を設ける場所は、庇２の側縁近傍であれば特に限定されない。しかし、帽子の着用時に、固着部４（ベルト５）や被固着部６が目立つと、帽子の見た目が悪くなるおそれがある。したがって、固着部４（ベルト５）や被固着部６は、図１に示すように、ポケットＰを庇２の上面側に形成した場合において、ポケット形成用生地３によって覆われる場所に設けると好ましい。これにより、固着部４（ベルト５）と被固着部６をポケット形成用生地３で覆って目立たなくすることができる。
【００２８】
また、被固着部６は、庇２の上面に面ファスナなどを縫着又は接着することによって固定されるが、この際、縫い目が庇２の下面側に現われると、帽子の見た目が悪くなるおそれがある。このため、被固着部６を庇２に縫着する場合には、庇２の下面に現われた縫い目をマークなどで覆うなどするとよい。また、庇表地と庇裏地とを袋状に縫い合わせる前に、被固着部６を庇表地に予め縫着しておくようにしてもよい。
【００２９】
３．５  クラウン
本実施態様の帽子において、クラウン１は、クラウン１の外面を形成するクラウン表地（図１におけるクラウン１に一致）と、クラウン１の裏面を形成するクラウン裏地７（図７を参照）と、クラウン１の内側の下縁に沿った部分の全周部に亘って設けたビン皮８（図７を参照）とで構成している。クラウン裏地７は、合成繊維の編織地からなるメッシュ素材によって形成しており、クラウン１の通気性を向上させるとともに、帽子の着用感の向上を図っている。ビン皮８は、帽子の着用者の汗を吸収するためのものとなっており、吸水性と速乾性に優れた素材で形成される。
【００３０】
一方、クラウン表地の素材は、折畳み可能なものであれば特に限定されない。本発明の帽子は、クラウン１を折畳むことを想定したものとなっているため、クラウン１には、それを折畳む際の目安となる折り目を予め形成するなどしてもよい。しかし、この場合には、クラウン１の折り目によって帽子の見た目が悪くなるおそれがある。したがって、クラウン１は、決まった折り目に沿って折畳むのではなく、不規則に折畳んでポケットＰに収納するようにすると好ましい。ただし、クラウン１にシワが形成されると、やはり帽子の見た目が悪くなるため、クラウン１は、シワが形成されにくい素材で形成すると好ましい。このような素材としては、ポリエステルなどの合成繊維によって形成された編地などが例示される。クラウン表地には、帽子の用途などに応じて、防水加工や撥水加工を施すことができる。
【００３１】
４．用途
以上で説明した本発明の帽子は、その用途を特に限定されない。作業帽や、体操帽や、ランニングキャップや、ウォーキングキャップや、野球帽や、ゴルフ帽などが例示される。なかでも、脱いだり被ったりを繰り返す機会の多い帽子は、コンパクトに持ち運びできることのメリットが大きいため、本発明の帽子として好適である。本発明の帽子に係る構成は、クラウンの前方に庇が設けられたキャップ型の全ての帽子で採用することができる。
【符号の説明】
【００３２】
１  クラウン
２  庇
３  ポケット形成用生地
４  固着部
５  ベルト
６  被固着部
７  クラウン裏地
８  ビン皮
Ｐ  ポケット
【図１】
0005406066.tif 000002
【図２】
0005406066.tif 000003
【図３】
0005406066.tif 000004
【図４】
0005406066.tif 000005
【図５】
0005406066.tif 000006
【図６】
0005406066.tif 000007
【図７】
0005406066.tif 000008
【図８】
0005406066.tif 000009
【図９】
0005406066.tif 000010
【図１０】
0005406066.tif 000011
【図１１】
0005406066.tif 000012